(57)【要約】【課題】一対のフレームが装着状態から外れるのを防止しつつ、一対のフレーム同士が所定の距離以上に近付かないようにし、表示パネルに表示品質の低下を来たすような負荷が掛かるのを防止する。【解決手段】外れ防止爪４３および係合部５２により上下フレーム４０，５０が外れるのを防止しつつ、押し込み防止爪５３および当接部４４により、上下フレーム４０，５０同士が所定の距離以上に近付くのを防止する。これにより、液晶表示パネル２０に表示品質の低下を来たすような負荷が掛からなくなるようにして信頼性を向上させることができる。【選択図】図８
2014142507.tif 000002
【特許請求の範囲】
【請求項１】
表示面および当該表示面の周囲にある額縁面を備えた表示パネルと、
前記額縁面上に重なるよう設けられる第１フレームと、
前記第１フレームに装着される第２フレームと、
前記第１フレームの前記第２フレームとの装着部分に設けられる第１壁部と、
前記第２フレームの前記第１フレームとの装着部分に設けられる第２壁部と、
前記各壁部のうちのいずれか一方に設けられ、前記各フレームを装着した状態から前記各フレームが外れるのを防止する外れ防止爪と、
前記各壁部のうちのいずれか他方に設けられ、前記外れ防止爪が係合する係合部と、
前記各壁部のうちのいずれか一方に設けられ、前記各フレーム同士が所定の距離以上に近付くのを防止する押し込み防止爪と、
前記各壁部のうちのいずれか他方に設けられ、前記押し込み防止爪が当接する当接部と、
を備えた、表示装置。
【請求項２】
請求項１記載の表示装置において、
前記外れ防止爪および前記係合部と前記押し込み防止爪および前記当接部とが、前記各フレームの周囲に沿って設けられ、前記押し込み防止爪および前記当接部の数が、前記外れ防止爪および前記係合部の数よりも多い、表示装置。
【請求項３】
請求項１または２記載の表示装置において、
前記表示パネルおよび前記各フレームは、複数の辺および複数の角部を有する多角形形状であって、前記押し込み防止爪および前記当接部が、前記辺の両端側にある前記角部のうちの少なくともいずれか一方寄りに設けられる、表示装置。
【請求項４】
請求項１〜３のいずれか１項に記載の表示装置において、
前記当接部は、前記各壁部のうちのいずれか他方に形成した切り欠きの底部を形成し、前記切り欠きの開口部に、前記各フレームの装着時に前記押し込み防止爪の前記当接部への移動を許容しつつ前記開口部を補強する橋渡し部が設けられる、表示装置。
【発明の詳細な説明】
【技術分野】
【０００１】
本発明は表示装置に関し、特に、一対のフレームの間に表示パネルが配置された表示装置に関する。
【背景技術】
【０００２】
携帯電話，携帯情報端末，デジタルカメラ，マルチメディアプレーヤー等の多くの機器の表示装置には、液晶表示装置や有機ＥＬ表示装置等の薄型の表示装置が採用されている。このような薄型の表示装置、例えば液晶表示装置では、液晶表示パネルと当該液晶表示パネルを背面から照らす照明装置とが、一対の金属製フレームの間に配置され、これにより液晶表示パネルおよび照明装置よりなるモジュールの強度が高められている。このように、液晶表示パネルおよび照明装置が、一対のフレームの間に配置された表示装置に関する技術が、例えば、特許文献１や特許文献２に記載されている。
【０００３】
特許文献１に記載された技術では、下フレームの側面に上フレームの側面に向けて突出する突起部が形成され、上フレームの側面に下フレームの突起部と係合する係合部が形成されている。これらの突起部および係合部は、上下フレームを互いに装着することで係合状態とされ、その後は係合状態が保持されて上下フレームは互いに外れないようになっている。上下フレームの内側には、液晶表示パネルと照明モジュールとが重ねて配置され、上下フレームは、液晶表示パネルおよび照明モジュールをそれぞれ積層方向両側から挟持している。
【０００４】
また、特許文献２には、上述した特許文献１と同様の下側ケース（下フレームに相当）と金属製シールドケース（上フレームに相当）との係合構造が記載されている。そして、下側ケースと金属製シールドケースとの間には、ゴムクッション，液晶表示パネルの上部透明ガラス基板および両面粘着テープが挟持されている。
【先行技術文献】
【特許文献】
【０００５】
【特許文献１】特開２０１２−０１３７５９号公報
【特許文献２】特開平０７−２８１１８３号公報
【発明の概要】
【発明が解決しようとする課題】
【０００６】
上述の特許文献１，２に記載された係合構造は、いずれも各フレーム同士が外れるのを防止するものであり、各フレーム同士が所定の距離以上に近付くのを許容する係合構造となっている。したがって、製造時の信頼性評価等や使用者により各フレームが強く把持された場合には、各フレーム同士が所定の距離以上に近付き、液晶表示パネルにその把持力が伝達されることになる。これにより、特許文献１に記載の技術においては、把持力が直に液晶表示パネルに伝達されてしまい、その結果、表示ムラが発生する等の表示品質の低下を招いてしまう。
【０００７】
一方、特許文献２に記載の技術においては、ゴムクッションを介して液晶表示パネルの上部透明ガラス基板のみに把持力が伝達されるようにし、表示ムラの発生を抑えるようにしている。しかしながら、ゴムクッションは変形し易いため、例えば、各フレームの長手方向に沿う一方側を片持ち状態で強く把持する等した場合には、下部透明ガラス基板を含む液晶表示パネル全体に負荷が掛かり、ひいては液晶表示パネル全体が撓む等して、表示ムラの発生を十分に防止し得るものではなかった。
【０００８】
本発明の目的は、一対のフレームが装着状態から外れるのを防止しつつ、一対のフレーム同士が所定の距離以上に近付かないようにし、表示パネルに表示品質の低下を来たすような負荷が掛かるのを防止することにある。
【課題を解決するための手段】
【０００９】
本発明の一態様では、表示面および当該表示面の周囲にある額縁面を備えた表示パネルと、前記額縁面上に重なるよう設けられる第１フレームと、前記第１フレームに装着される第２フレームと、前記第１フレームの前記第２フレームとの装着部分に設けられる第１壁部と、前記第２フレームの前記第１フレームとの装着部分に設けられる第２壁部と、前記各壁部のうちのいずれか一方に設けられ、前記各フレームを装着した状態から前記各フレームが外れるのを防止する外れ防止爪と、前記各壁部のうちのいずれか他方に設けられ、前記外れ防止爪が係合する係合部と、前記各壁部のうちのいずれか一方に設けられ、前記各フレーム同士が所定の距離以上に近付くのを防止する押し込み防止爪と、前記各壁部のうちのいずれか他方に設けられ、前記押し込み防止爪が当接する当接部と、を備えている。
【００１０】
本発明の他の態様では、前記外れ防止爪および前記係合部と前記押し込み防止爪および前記当接部とが、前記各フレームの周囲に沿って設けられ、前記押し込み防止爪および前記当接部の数が、前記外れ防止爪および前記係合部の数よりも多くなっている。
【００１１】
本発明の他の態様では、前記表示パネルおよび前記各フレームは、複数の辺および複数の角部を有する多角形形状であって、前記押し込み防止爪および前記当接部が、前記辺の両端側にある前記角部のうちの少なくともいずれか一方寄りに設けられる。
【００１２】
本発明の他の態様では、前記当接部は、前記各壁部のうちのいずれか他方に形成した切り欠きの底部を形成し、前記切り欠きの開口部に、前記各フレームの装着時に前記押し込み防止爪の前記当接部への移動を許容しつつ前記開口部を補強する橋渡し部が設けられる。
【発明の効果】
【００１３】
本発明によれば、外れ防止爪および係合部により各フレームが外れるのを防止しつつ、押し込み防止爪および当接部により各フレーム同士が所定の距離以上に近付くのを防止することができ、ひいては表示パネルに表示品質の低下を来たすような負荷が掛からなくなるようにして信頼性を向上させることができる。
【図面の簡単な説明】
【００１４】
【図１】本発明の一実施の形態に係る表示装置の分解斜視図である。
【図２】（ａ）は上フレームを図１の矢印ａ方向から見た矢視図、（ｂ）は上フレームを図１の矢印ｂ方向から見た矢視図である。
【図３】（ａ）は上フレームを図１の矢印ｃ方向から見た矢視図、（ｂ）は上フレームの図１における破線円ｄ部を拡大した部分拡大図である。
【図４】（ａ）は下フレームを図１の矢印ａ方向から見た矢視図、（ｂ）は下フレームを図１の矢印ｂ方向から見た矢視図である。
【図５】（ａ）は下フレームを図１の矢印ｃ方向から見た矢視図、（ｂ）は下フレームの図１における破線円ｅ部を拡大した部分拡大図である。
【図６】（ａ），（ｂ），（ｃ）は、外れ防止機構の係合動作を説明する部分拡大断面図である。
【図７】（ａ），（ｂ），（ｃ）は、押し込み防止機構の当接動作を説明する部分拡大断面図である。
【図８】外れ防止機構の係合状態および押し込み防止機構の当接状態を示す斜視図である。
【図９】（ａ），（ｂ）は、外れ防止機構の第１，第２変形例をそれぞれ示す部分拡大断面図である。
【図１０】（ａ），（ｂ）は、押し込み防止機構の第１，第２変形例をそれぞれ示す部分拡大断面図である。
【発明を実施するための形態】
【００１５】
以下、本発明の一実施の形態について、図面を用いて詳細に説明する。
【００１６】
図１は、本発明が適用された表示装置の一例を分解して示した斜視図を表している。図１に示すように、表示装置１０は、液晶表示パネル２０と照明装置３０とを備えており、これらの液晶表示パネル２０および照明装置３０は、上フレーム４０および下フレーム５０の間に配置されるようになっている。
【００１７】
表示パネルとしての液晶表示パネル２０は、一対の長辺２０ａおよび一対の短辺２０ｂと、４つの角部Ｃとを備えた多角形形状の略長方形形状に形成されている。液晶表示パネル２０は、表示面２１と当該表示面２１の周囲に図中二点鎖線を境界として位置する額縁面２２とを備えている。また、液晶表示パネル２０は、詳細は図示しないが、第１，第２透明ガラス基板や、これらの透明ガラス基板の間に挟まれた液晶層、さらに第１，第２透明ガラス基板の外側にそれぞれ配置された第１，第２偏光フィルタ等を有しており、これらを積層することで板状に形成されている。
【００１８】
照明装置３０は、液晶表示パネル２０の背面側、つまり下フレーム５０側に配置され、液晶表示パネル２０と同様に略長方形形状に形成されている。照明装置３０は、液晶表示パネル２０を背面側から照らすものであり、詳細は図示しないが、光源ランプ，インバータ回路，導光板等から形成されている。照明装置３０には、２つのフレキシブルプリント基板３１が接続されており、これらのフレキシブルプリント基板３１は、図示しないバッテリから照明装置３０に駆動電流を供給するようになっている。ここで、光源ランプとしては、例えば、白色ＬＥＤが用いられている。ただし、白色ＬＥＤに限らず、光源ランプとしては、冷陰極管等の発光体を用いることもできる。また、照明装置３０は、液晶表示パネル２０を背面側から照らすものに限らず、サイドライトやフロントライトであっても良い。
【００１９】
第１フレームとしての上フレーム４０は、ステンレス鋼板をプレス加工することにより、一対の長辺４０ａおよび一対の短辺４０ｂと、４つの角部Ｃとを備えた多角形形状の略長方形形状に形成されている。上フレーム４０は、液晶表示パネル２０の表示面２１を覗き見ることができる枠体４１を備えており、この枠体４１は、液晶表示パネル２０の額縁面２２の上方に重なるよう設けられている。
【００２０】
枠体４１と額縁面２２との間には、ゴム等の弾性材料よりなるクッションシートＳが設けられ、当該クッションシートＳは枠体４１の内側に貼り付けられている。クッションシートＳは、枠体４１が直に額縁面２２に接触して当該額縁面２２を傷付けたり、上下フレーム４０，５０の間に配置される液晶表示パネル２０や照明装置３０等ががたついたりするのを防止するようになっている。
【００２１】
枠体４１の周囲には、略直角に折り曲げるようにして、第１壁部４２が一体に形成されている。第１壁部４２は、一対の長辺４０ａおよび一対の短辺４０ｂのそれぞれに対応して設けられ、第１壁部４２の各々は、下フレーム５０の第２壁部５１の外側にそれぞれ装着されるようになっている（図６，７参照）。つまり、第１壁部４２は、上フレーム４０の下フレーム５０との装着部分に設けられている。
【００２２】
図２（ａ）は上フレームを図１の矢印ａ方向から見た矢視図、（ｂ）は上フレームを図１の矢印ｂ方向から見た矢視図を、図３（ａ）は上フレームを図１の矢印ｃ方向から見た矢視図、（ｂ）は上フレームの図１における破線円ｄ部を拡大した部分拡大図をそれぞれ表している。
【００２３】
図２（ａ）に示すように、一方の長辺４０ａに対応した第１壁部４２には、一対の外れ防止爪４３と一対の当接部４４とが設けられている。一対の外れ防止爪４３は、第１壁部４２の短手方向に沿う略中央部で、かつ第１壁部４２の長手方向に沿う両端側に配置されている。一方、一対の当接部４４は、第１壁部４２の短手方向に沿う先端側（図中下側）で、かつ第１壁部４２の長手方向に沿う外れ防止爪４３の間に配置されている。
【００２４】
図２（ｂ）に示すように、他方の長辺４０ａに対応した第１壁部４２には、一対の外れ防止爪４３と１つの当接部４４とが設けられている。一対の外れ防止爪４３は、第１壁部４２の短手方向に沿う略中央部で、かつ第１壁部４２の長手方向に沿う両端側に配置されている。一方、１つの当接部４４は、第１壁部４２の短手方向に沿う先端側で、かつ第１壁部４２の長手方向に沿う外れ防止爪４３の間に配置されている。また、外れ防止爪４３と当接部４４との間には、図１に示すフレキシブルプリント基板３１の逃げとして機能する第１プリント基板用切り欠き４５が設けられている。
【００２５】
一対の短辺４０ｂにそれぞれ対応して設けられた第１壁部４２は、図３（ａ）に示すようにいずれも略同様に形成されている。これらの各短辺４０ｂに対応した第１壁部４２には、一対の当接部４４のみが設けられており、図２に示すような外れ防止爪４３が設けられていない。そして、一対の当接部４４は、第１壁部４２の短手方向に沿う先端側で、かつ第１壁部４２の長手方向に沿う両端側に配置されている。つまり、各短辺４０ｂに対応した第１壁部４２においては、当接部４４の各々が、各短辺４０ｂの長手方向に沿う両端側にある一対の角部Ｃ寄りにそれぞれ設けられている。
【００２６】
外れ防止爪４３は、図３（ｂ）に示すように、第１壁部４２の外側から内側、つまり第１壁部４２を下フレーム５０の第２壁部５１に装着した状態のもとで、第２壁部５１に向けて突出するよう形成されている。外れ防止爪４３の第１壁部４２の短手方向に沿う先端側には傾斜面４３ａが形成されており、当該傾斜面４３ａは、第１壁部４２の第２壁部５１への装着時において、第２壁部５１の係合部５２を乗り越えるようになっている。これにより、外れ防止爪４３は係合部５２に係合されて、上下フレーム４０，５０を装着した状態から、上下フレーム４０，５０が外れるのを防止するようになっている。つまり、外れ防止爪４３は外れ防止機構を形成している。
【００２７】
また、外れ防止爪４３の第１壁部４２の短手方向に沿う基端側（図中上側）には開口部４３ｂが形成されており、当該開口部４３ｂには、第１壁部４２を第２壁部５１に装着した状態のもとで、係合部５２が入り込むようになっている。
【００２８】
当接部４４は、図３（ｂ）に示すように、第１壁部４２の短手方向に沿う先端側に向けて延びる切り欠き４４ａの底部を形成しており、当接部４４には、第１壁部４２を第２壁部５１に装着した状態のもとで、第２壁部５１の押し込み防止爪５３が当接するようになっている。これにより、上下フレーム４０，５０同士が所定の距離以上に近づくのを防止するようになっている。つまり、当接部４４は押し込み防止機構を形成している。
【００２９】
切り欠き４４ａの開口部４４ｂ側、つまり当接部４４との対向部分には、橋渡し部４４ｃが一体に設けられている。この橋渡し部４４ｃは、第１壁部４２の外側、つまり第１壁部４２を第２壁部５１に装着した状態のもとで、第２壁部５１側とは反対側に向けて突出するよう形成されている。これにより、第１壁部４２の第２壁部５１への装着時において、第２壁部５１の押し込み防止爪５３が切り欠き４４ａ内に入り、当接部４４に向けての移動が許容される。また、橋渡し部４４ｃは、切り欠き４４ａの開口部４４ｂを補強する役割を果たし、第１壁部４２の強度を十分なものとしている。
【００３０】
図１に示すように、第２フレームとしての下フレーム５０は、アルミ板をプレス加工することにより、一対の長辺５０ａおよび一対の短辺５０ｂと、４つの角部Ｃとを備えた多角形形状の略長方形形状に形成されている。下フレーム５０は、図示しない底面部を備えており、下フレーム５０の底面部に近接して照明装置３０が配置されている。このように、下フレーム５０をアルミ製とすることで、照明装置３０が発生する熱を外部に放熱し易くしている。
【００３１】
下フレーム５０の底面部の周囲には、略直角に折り曲げるようにして、第２壁部５１が一体に形成されている。第２壁部５１は、一対の長辺５０ａおよび一対の短辺５０ｂのそれぞれに対応して設けられ、第２壁部５１の各々は、上フレーム４０の第１壁部４２の内側にそれぞれ装着されるようになっている（図６，７参照）。つまり、第２壁部５１は、下フレーム５０の上フレーム４０との装着部分に設けられている。
【００３２】
図４（ａ）は下フレームを図１の矢印ａ方向から見た矢視図、（ｂ）は下フレームを図１の矢印ｂ方向から見た矢視図を、図５（ａ）は下フレームを図１の矢印ｃ方向から見た矢視図、（ｂ）は下フレームの図１における破線円ｅ部を拡大した部分拡大図をそれぞれ表している。なお、図４，図５においては、照明装置３０を収容した状態の下フレーム５０を示している。
【００３３】
図４（ａ）に示すように、一方の長辺５０ａに対応した第２壁部５１には、一対の係合部５２と一対の押し込み防止爪５３とが設けられている。一対の係合部５２は、第２壁部５１の短手方向に沿う略中央部で、かつ第２壁部５１の長手方向に沿う両端側に配置されている。一方、一対の押し込み防止爪５３は、第２壁部５１の短手方向に沿う略中央部で、かつ第２壁部５１の長手方向に沿う係合部５２の間に配置されている。
【００３４】
図４（ｂ）に示すように、他方の長辺５０ａに対応した第２壁部５１には、一対の係合部５２と１つの押し込み防止爪５３とが設けられている。一対の係合部５２は、第２壁部５１の短手方向に沿う略中央部で、かつ第２壁部５１の長手方向に沿う両端側に配置されている。一方、１つの押し込み防止爪５３は、第２壁部５１の短手方向に沿う略中央部で、かつ第２壁部５１の長手方向に沿う係合部５２の間に配置されている。また、係合部５２と押し込み防止爪５３との間には、フレキシブルプリント基板３１を下フレーム５０の外部から照明装置３０へ導くための第２プリント基板用切り欠き５４が設けられている。
【００３５】
一対の短辺５０ｂにそれぞれ対応して設けられた第２壁部５１は、図５（ａ）に示すようにいずれも略同様に形成されている。これらの各短辺５０ｂに対応した第２壁部５１には、一対の押し込み防止爪５３のみが設けられており、図４に示すような係合部５２が設けられていない。そして、一対の押し込み防止爪５３は、第２壁部５１の短手方向に沿う略中央部で、かつ第２壁部５１の長手方向に沿う両端側に配置されている。つまり、各短辺５０ｂに対応した第２壁部５１においては、押し込み防止爪５３の各々が、各短辺５０ｂの長手方向に沿う両端側にある一対の角部Ｃ寄りにそれぞれ設けられている。
【００３６】
係合部５２は、図５（ｂ）に示すように、第２壁部５１の内側から外側、つまり上フレーム４０の第１壁部４２を第２壁部５１に装着した状態のもとで、第１壁部４２に向けて突出するよう形成されている。係合部５２の第２壁部５１の短手方向に沿う先端側（図中上側）には傾斜面５２ａが形成されており、当該傾斜面５２ａは、第１壁部４２の第２壁部５１への装着時において、第１壁部４２の外れ防止爪４３が乗り越えるようになっている。これにより、係合部５２は外れ防止爪４３と係合して、上下フレーム４０，５０を装着した状態から、上下フレーム４０，５０が外れるのを防止するようになっている。つまり、係合部５２は外れ防止機構を形成している。
【００３７】
また、係合部５２の第２壁部５１の短手方向に沿う基端側（図中下側）には開口部５２ｂが形成されており、当該開口部５２ｂには、第１壁部４２を第２壁部５１に装着した状態のもとで、外れ防止爪４３が入り込むようになっている。
【００３８】
押し込み防止爪５３は、図３（ｂ）に示すように、第２壁部５１の内側から外側、つまり上フレーム４０の第１壁部４２を第２壁部５１に装着した状態のもとで、第１壁部４２に向けて突出するよう形成されている。押し込み防止爪５３の突出高さは、第１壁部４２に設けた橋渡し部４４ｃの内側を通過し得る高さ寸法に設定されている。これにより、押し込み防止爪５３は、第１壁部４２の切り欠き４４ａ内にスムーズに導かれて、その後、切り欠き４４ａの底部を形成する当接部４４に当接される。
【００３９】
このように、押し込み防止爪５３は、上下フレーム４０，５０同士が所定の距離以上に近づくのを防止するようになっており、押し込み防止機構を形成している。
【００４０】
上述のように、上フレーム４０の外れ防止爪４３および下フレーム５０の係合部５２からなるセットは外れ防止機構を形成しており、上フレーム４０の当接部４４および下フレーム５０の押し込み防止爪５３からなるセットは押し込み防止機構を構成している。図２ないし図５に示すように、上下フレーム４０，５０の周囲には、外れ防止機構が４つ設けられ、押し込み防止機構が７つ設けられている。つまり、押し込み防止機構の数の方が、外れ防止機構の数よりも多く設けられている。
【００４１】
外れ防止機構は、上下フレーム４０，５０の角部Ｃに近接して配置され、例えば、上フレーム４０の角部Ｃが下フレーム５０の角部Ｃから部分的に浮くようにして外れたり、上フレーム４０が自重で下フレーム５０から外れたりするのを防止し得る最適個数となっている。一方、押し込み防止機構は、上下フレーム４０，５０の角部Ｃに近接して配置されるとともに、上下フレーム４０，５０の各長辺４０ａ，５０ａの中央部寄りにも配置されている。
【００４２】
このように、押し込み防止機構を上下フレーム４０，５０の周囲に分散させて配置することにより、例えば、使用者が上下フレーム４０，５０の角部Ｃを含む上下フレーム４０，５０のどの部分を把持したとしても、上下フレーム４０，５０同士が所定の距離以上に近づくのを効果的に防止できるようになっている。
【００４３】
次に、以上のように形成した上下フレーム４０，５０の装着手順について、外れ防止機構の部分と押し込み防止機構の部分とに分けて詳細に説明する。なお、外れ防止爪４３と係合部５２とが係合した後に、これと略同時に当接部４４と押し込み防止爪５３とが係合するようになっている。
【００４４】
図６（ａ），（ｂ），（ｃ）は外れ防止機構の係合動作を説明する部分拡大断面図を、図７（ａ），（ｂ），（ｃ）は押し込み防止機構の当接動作を説明する部分拡大断面図を、図８は外れ防止機構の係合状態および押し込み防止機構の当接状態を示す斜視図をそれぞれ表している。
【００４５】
［外れ防止機構の部分］
図６（ａ）に示すように、まず、下フレーム５０に、照明装置３０および液晶表示パネル２０等をその順番で収容し、下フレーム５０の上方から上フレーム４０を臨ませる。その後、図中矢印（１）に示すように、上フレーム４０を下フレーム５０に向けて移動させていく。
【００４６】
すると、上フレーム４０の第１壁部４２が、下フレーム５０の第２壁部５１の外側に嵌め込まれていく。上フレーム４０の下フレーム５０への移動を続けると、図６（ｂ）に示すように、第１壁部４２の外れ防止爪４３が第２壁部５１の係合部５２を乗り越えようとする。このとき、それぞれの傾斜面４３ａ，５２ａが互いに摺接して、外れ防止爪４３の乗り越えを案内するようになっている。
【００４７】
その後、さらに上フレーム４０を下フレーム５０に対して移動させることにより、図６（ｃ）に示すように、外れ防止爪４３が係合部５２を完全に乗り越えて、外れ防止爪４３が開口部５２ｂに、係合部５２が開口部４３ｂにそれぞれ入り込む。これにより、図８に示すように、外れ防止爪４３と係合部５２との係合動作が完了し、外れ防止爪４３および係合部５２は互いに係合状態となる。
【００４８】
このように、外れ防止機構が係合状態となった後は、図６中白抜き破線矢印の方向、つまり上下フレーム４０，５０が外れる方向に力Ｆ１を加えたとしても、上下フレーム４０，５０は外れることは無い。なお、枠体４１の内側に貼付したクッションシートＳは、図示のように、液晶表示パネル２０の額縁面２２に若干の弾性変形を伴い接触することになるが、クッションシートＳの弾性力は、液晶表示パネル２０に表示ムラを発生させることは無い。
【００４９】
［押し込み防止機構の部分］
図７（ａ）の矢印（１）に示すように、下フレーム５０の上方から上フレーム４０を臨ませて、上フレーム４０を下フレーム５０に向けて移動させていく。すると、上フレーム４０の第１壁部４２が、下フレーム５０の第２壁部５１の外側に嵌め込まれていく。
【００５０】
上フレーム４０の下フレーム５０への移動を続けると、図７（ｂ）に示すように、第２壁部５１の押し込み防止爪５３が、第１壁部４２の切り欠き４４ａ内に入っていく。このとき、押し込み防止爪５３は、橋渡し部４４ｃの内側を当該橋渡し部４４ｃに接触すること無く通過する。
【００５１】
その後、さらに上フレーム４０を下フレーム５０に対して移動させることにより、図７（ｃ）に示すように、押し込み防止爪５３が当接部４４に当接して、上フレーム４０が下フレーム５０に対してそれ以上近付くのが防止される。これにより、図８に示すように、押し込み防止爪５３と当接部４４とが当接されて、押し込み防止爪５３および当接部４４は互いに当接状態となる。
【００５２】
このように、押し込み防止機構が当接状態となった後は、図７中白抜き破線矢印の方向、つまり上下フレーム４０，５０同士が所定の距離以上に近付く方向に力Ｆ２を加えたとしても、当該力Ｆ２（つまり把持力等）は、図中矢印（２）に示すように、上フレーム４０から当接部４４および押し込み防止爪５３を介して下フレーム５０に伝達される。したがって、把持力等の力Ｆ２は、液晶表示パネル２０の額縁面２２には伝達されず、液晶表示パネル２０に表示ムラが発生することは無い。
【００５３】
以上詳述したように、本実施の形態に係る表示装置１０によれば、外れ防止爪４３および係合部５２により上下フレーム４０，５０が外れるのを防止しつつ、押し込み防止爪５３および当接部４４により上下フレーム４０，５０同士が所定の距離以上に近付くのを防止することができ、ひいては液晶表示パネル２０に表示品質の低下を来たすような負荷が掛からなくなるようにして信頼性を向上させることができる。
【００５４】
また、本実施の形態に係る表示装置１０によれば、押し込み防止機構を７つ、外れ防止機構を４つ設けて、押し込み防止機構の数の方を、外れ防止機構の数よりも多くしたので、使用者が把持し易い上下フレーム４０，５０の角部Ｃを含むどの部分を把持したとしても、液晶表示パネル２０に表示ムラが発生するのを抑制することができる。
【００５５】
ここで、外れ防止機構および押し込み防止機構は、図９（ａ），（ｂ）および図１０（ａ），（ｂ）に示すような構造にすることもできる。以下、これらの図面を用いて外れ防止機構および押し込み防止機構の変形例について、それぞれ詳細に説明する。なお、上述した実施の形態と同様の機能を有する部分については同一の記号を付し、その詳細な説明を省略する。
【００５６】
図９（ａ），（ｂ）は外れ防止機構の第１，第２変形例をそれぞれ示す部分拡大断面図を、図１０（ａ），（ｂ）は押し込み防止機構の第１，第２変形例をそれぞれ示す部分拡大断面図をそれぞれ表している。
【００５７】
図９（ａ）に示す外れ防止機構の第１変形例は、上述した実施の形態に比して、係合部５２を、第２壁部５１の内側から外側に向けて突出させずに、第２壁部５１に形成した単なる貫通孔Ｈ１により形成されるようにしている。また、外れ防止爪４３の内側への突出量を大きくし、これにより係合部５２と外れ防止爪４３との係合強度を十分なものとしている。
【００５８】
図９（ｂ）に示す外れ防止機構の第２変形例は、第１壁部４２に貫通孔Ｈ２を形成することにより、第１壁部４２に係合部５２を形成している。一方、第２壁部５１の内側から外側に向けて突出するよう、第２壁部５１に外れ防止爪４３を形成している。つまり、第２変形例においては、上述した実施の形態に比して、係合関係が逆の関係となっている。
【００５９】
図１０（ａ）に示す押し込み防止機構の第１変形例は、上述した実施の形態に比して、切り欠き４４ａの開口部４４ｂ側に設けた橋渡し部４４ｃ（図３参照）を省略した点が異なっている。
【００６０】
図１０（ｂ）に示す押し込み防止機構の第２変形例は、第１壁部４２の外側から内側に向けて突出するよう、第１壁部４２に押し込み防止爪５３を形成している。一方、第２壁部５１の短手方向に沿う先端側（図中上側）に切り欠きＧを設け、当該切り欠きＧの底部により当接部４４を形成している。つまり、第２変形例においては、上述した実施の形態に比して、当接関係が逆の関係となっている。
【００６１】
本発明は上記実施の形態に限定されるものではなく、その要旨を逸脱しない範囲で種々変更可能である。例えば、上記実施の形態においては、上下フレーム４０，５０の間に配置される表示パネルとして、液晶表示パネル２０を採用したものを示したが、本発明はこれに限らず、有機ＥＬ表示パネルや無機ＥＬ表示パネル等、他の形式の表示パネルを採用するものにも適用できる。また、有機ＥＬ表示パネルや無機ＥＬ表示パネルを用いた場合は、照明装置を省略することができる。
【００６２】
さらに、上記実施の形態においては、略長方形形状の液晶表示パネル２０と、略長方形形状の上下フレーム４０，５０とを備えた表示装置１０であるものを示したが、本発明はこれに限らず、円形形状や五角形以上の多角形形状の液晶表示パネルや上下フレームを備えた表示装置にも適用できる。
【００６３】
また、上記実施の形態においては、上下フレーム４０，５０の周囲に、外れ防止機構を４つ、押し込み防止機構を７つ設けたものを示したが、本発明はこれに限らず、外れ防止機構および押し込み防止機構の数は、それぞれ任意に設定することができる。例えば、より大型の表示装置に本発明を適用する場合には、外れ防止機構および押し込み防止機構の数を２倍としても良い。また、表示装置に必要とされる仕様に応じて、外れ防止機構の数を押し込み防止機構の数よりも多くしても良い。
【符号の説明】
【００６４】
１０    表示装置
２０    液晶表示パネル（表示パネル）
２０ａ    長辺（辺）
２０ｂ    短辺（辺）
２１    表示面
２２    額縁面
４０    上フレーム（第１フレーム）
４０ａ    長辺（辺）
４０ｂ    短辺（辺）
４２    第１壁部
４３    外れ防止爪
４４    当接部
４４ａ  切り欠き
４４ｂ    開口部
４４ｃ    橋渡し部
５０    下フレーム（第２フレーム）
５０ａ    長辺（辺）
５０ｂ    短辺（辺）
５１    第２壁部
５２    係合部
５３    押し込み防止爪
Ｃ    角部
【図１】
2014142507.tif 000003
【図２】
2014142507.tif 000004
【図３】
2014142507.tif 000005
【図４】
2014142507.tif 000006
【図５】
2014142507.tif 000007
【図６】
2014142507.tif 000008
【図７】
2014142507.tif 000009
【図８】
2014142507.tif 000010
【図９】
2014142507.tif 000011
【図１０】
2014142507.tif 000012